(57)【要約】【課題】視認性に優れ、軽量で簡便な装着と使用安全性の高い標識バンドを提供する。【解決手段】高弾性と強靭性及び透明性を有する合成樹脂板材からなり、幅に対して８倍以上の長さで且その幅がその円の中心より２２．５度乃至４５度の角度の曲率の円弧と等しい形状と長さに加圧変形された弾性弧形状基材の外面に、合成樹脂フィルムの一側面に光再帰性加工が施された光再帰性フィルム材が接着された構造。【選択図】図５
0003140416.tif 000002
【実用新案登録請求の範囲】
【請求項１】
高弾性と強靭性及び透明性を有する合成樹脂板材からなり、幅に対して少なくとも８倍以上の長さで、且その幅がその円の中心より２２．５度乃至４５度の角度の曲率の円弧と等しい形状と長さに加圧変形させた弾性弧形基材の外面に、合成樹脂フィルムの一側面に光再帰性加工が施された光再帰性フィルム材が接着された構造からなる、視認性と装着性並びに安全性に優れる標識バンド。
【請求項２】
高弾性と強靭性及び透明性を有する合成樹脂板材からなり、幅に対して少なくとも８倍以上の長さで、且その幅がその円の中心より２２．５度乃至４５度の角度の曲率の円弧と等しい形状と長さに加圧変形させた弾性弧形基材が、該弾性弧形基材の形状及び寸法に合せて、その上面には光再帰性フィルム材と且その下面には該光再帰性フィルム材と融着可能な包着フィルム材とにより、その一辺に開口部を有し且他の三辺が融着された包着ケース内に挿入され融着密封された構造からなる視認性と装着性並びに安全性に優れる標識バンド。
【考案の詳細な説明】
【技術分野】
【０００１】  本考案は夜間の視認性が高く、装着が安全且容易で歩行者やペット等の交通事故防止には極めて好適な標識バンドに関する。
【背景技術】
【０００２】  現在は高度の車社会化と都市部への過度の集中化とにより、都市部における交通事故は日常化し、とりわけ高齢者や幼児の事故は増加の一途を辿っている。加えて注目すべきは、都市近郊においては一度に多数の犠牲者が巻き込まれる事故が頻発している。
かかる交通事故の発生には多くの要因が複合しているものであるが、特には夜間における運転者側の早期の危険認知の遅れや、過度の交通渋滞に伴う裏道や路地への無理な迂回走行が増大化しており、且これら裏道や路地は狭少なうえ照明設備も不十分であり、歩行者等の危険認知が著しく至難であることによるものと考えられている。【０００３】  反面郊外においては比較的交通量も少なく、且都市部での渋滞から開放された運転者の注意力の散漫とスピードの出し過ぎに起因すると考えられている。
他方歩行者側においても、高齢化社会を背景として身体不自由者の外出機会の増加や、少子化に伴う日没後の塾やスポーツ教室通いの増加等も交通事故の増加原因とも言われている。
加えて近年では余暇の増加とともにアウトドアライフも著しく増大し、特に山岳や海上レジャーに伴う遭難事故も多発し特に日没後の遭難者の発見救助には困難を極めている。【０００４】  かかる状況に鑑み合成樹脂フィルム材の一側面に光再帰性加工を施した光再帰性フィルム材が開発されたことにより、車輛等からの光線を受光すると該光線を拡散減衰させることなく車輛運転者に再帰されて著しく視認性が高められることから、該光再帰性フィルム材を細幅に裁断し道路工事関係作業衣等に逢着させて利用することが普及するに至っている。しかしながら該光再帰性フィルム材は主に道路工事関係者の作業衣に逢着させて提供されるため、一般歩行者や危険場所等の危険予知には利用されるには至っていない。【０００５】  これがため考案者等は、該光再帰性フィルムの高い視認性を広範囲に亘って活用するうえから、危険場所の予知や山岳或いはレジャー時の遭難に際しての旱期発見のための利用として、特公平８−１１８７４号に示す如く該光再帰性フィルム材を合成繊維と組編させた反射ロープを開発し、更には歩行者が容易に装着若しくは携行し車輛運転者への光再帰による危険予知をなさしめるため実開平６−８６５５６号に示す如く、光再帰性フィルム材を板バネと組合わせた簡易ホルダーも開発上市してきている。【０００６】  而してこの簡易ホルダーは鋼板材からなり、所要の幅で断面が所定の曲率の弧形状に加圧変形され、且長さ方向に曲折力を付加することにより加圧変形に際して付加された応力緩和に伴う巻き込み変形する板バネを包着するよう、その外面には光再帰性加工が施された光再帰性フィルム材と、且その裏面には光再帰性フィルム材と融着させて板バネを包着封入させる封入フィルム材とからなる構造のものである。【０００７】  然るに該構造からなる簡易ホルダーでは板バネが鋼板材からなるため長さ方向に強い曲折力を付加させぬと応力緩和による巻き込みによる装着がなしえず、従って自転車や乳母車等固い被装着体には好適なものの、歩行者やペット等生体への装着には装着痛を伴い、而も装着力も強く却って着脱が至難となり、且板バネが鋼板材のため多重なうえ、光再帰性フィルム材と封入フィルム材で包被封入されるため嵩高で装着美感にも劣り、特には使用経過とともに鋼板材からなる板バネと包着封入材との摩損により板バネが突出し、歩行者やペット等への使用にはケガの危険も内在する。【０００８】  考案者等は、かかる問題に鑑み研究を重ねた結果、高弾性と強靭性を有する合成樹脂板材を使用すると軽量なうえ、所要の幅と長さで且その断面を所定の曲率で弧形に加圧変形させた弾性弧形基材を用い、その表面に光再帰性フィルム材を接着させ、若しくは弾性弧形基材を該弾性弧形基材の形状及び寸法に合せて、その上面に光再帰性フィルム材と下面に該光再帰性フィルムと融着形成させた包着ケース内に挿入密封させた構造となすことにより、前記問題を解決しえることに想到し本考案に至った。
【考案の開示】
【考案が解決しようとする課題】
【０００９】  本考案は視認性に優れ、軽量で簡便な装着と使用安全性の高い標識バンドを提供することにある。
【課題を解決するための手段】
【００１０】  上述の課題を解決するために本考案が採用した技術的手段は、高弾性と強靭性及び透明性を有する合成樹脂板材からなり、幅に対して少なくとも８倍以上の長さで且その幅がその円の中心より２２．５度乃至４５度の角度の曲率の円弧と等しい形状と長さに加圧変形させて弾性弧形基材が形成され、且この弾性弧形基材の外面には合成樹脂フィルムの一側面に光再帰性加工が施された光再帰性フィルム材が接着された構造、若しくは弾性弧形基材と、該弾性弧形基材が挿入包着しえるようその外面には光再帰性フィルム材及びその下面には該光再帰性フィルム材と融着可能な包着フィルム材とにより包着ケースが形成され、この包着ケース内に弾性弧形基材が挿入されたうえ融着密封された構造からなる、視認性と装着性並びに安全性に優れる標識バンドに存する。
【考察の効果】
【００１１】  本考案の技術構成によれば、弾性弧形基材が高弾性と強靭性及び透明性を有する合成樹脂素材が用いられ、且所要の幅でその長さが少なくとも幅の８倍以上の長さで形成されるとともに、幅がその円の中心より２２．５度乃至４５度の角度の曲率の円弧形と長さを以って、而も加圧応力の付加により変形且保形させてなるから平時においては加圧応力を内在したまま緩やかな弧形を保持した直線状を呈し、僅かな外力付加により保形性が崩れ応力緩和に伴い裏面側長さ方向に向かって巻込み態様を発現する。
【００１２】  そして該弾性弧形基材は幅に対して少なくとも８倍以上の長さを有するため、歩行者やペット等の手足や腕及び脚或いは胴部にまで亘って、素材の軽量性と且緩やかな加圧応力緩和による巻込み態様による装着がなされ、装着時の違和感も無く且着脱も容易になしえる。
加えて弾性弧形基材は透明性を保持し、且その外面には極めて薄肉な光再帰性フィルム材が接着されてなるため、歩行者やペット等の身体の一部に装着されて歩行がなされた場合には、車輛光線が照射された場合に高い光再帰性及び透明な弾性弧形基材の光反射作用とも相俟って運転者には高い視認性が発揮され早期の危険予知がなされる。更に弾性弧形基材が包着ケース内に挿入密封されると、該包着ケースを形成する光再帰性フィルムと包着フィルムとにより、身体への装着時にソフトな感触を以って装着され、而も安価なばかりか合成樹脂素材からなるため、装着に際しての安全性も極めて高い。
【考案を実施するための最良の形態】
【００１３】  高弾性と強靭性及び透明性を保持する合成樹脂素材からなり、幅に対する長さが少なくとも８倍以上で且幅がその円の中心より２２．５度乃至４５度の曲率の円弧と等しい形状と長さで加圧変形された弾性弧形基材の外面に、光再帰性フィルム材が接着された構造。
【実施例１】
【００１４】  以下に本考案実施例を図とともに説明すれば、図１は本考案を形成する弾性弧形基材１の説明図であって、該弾性弧形基材１は高弾性と強靭性及び透明性を保持する素材が要請されるものであるから、具体的素材としてはポリエステル系合成樹脂やポリフェニレンスルフィド樹脂、ポリアミノビスマレイミド樹脂、ポリイミド樹脂若しくはポリアミドイミド樹脂等が挙げられる。【００１５】  かかる場合において弾性弧形基材１の素材に高弾性と強靭性が要請される所以は、図２に示すように、弾性弧形基材１の幅方向即ちＳ−Ｓ方向に加圧による応力付加をなし弧形状に変形させ、平時においてはその応力緩和力即ちＦ−Ｆ方向の力よりも弧形変形に伴う保形力で直線状に保形保持させるとともに、僅かな接触圧力の付加により保形力を崩し、その応力緩和力を以って図３に示すように長さ方向に巻込みさせて装着をなさしめる所謂弾性回復作用を利用するものであって、且平時の直線状の保形と巻込みによる応力緩和で装着と脱着を繰返しなすために十分に耐えうる高弾性と強靭性が要請されるものであり、加えて透明性の要請は光再帰性フィルム材２の光再帰性に加えて車輛光線等の照射に伴う鏡面反射作用を創出せしめて、一段と視認性を高めることによる。【００１６】  そして弾性弧形基材１の具体的長さは、使用する状態即ち歩行者やペット等、若しくは自転車や乳母車或いは危険場所の設置物等によっても異なるもので、歩行者の手足や腕脚の場合においては略２５乃至５０ｃｍ程度で装着や脱着が良好で、この場合の弾性弧形基材１の幅としては、略３乃至６ｃｍ程度が目処となる。
更に電柱や危険場所の構築物等では被装着物も太く大型となることから、その長さも１乃至２ｍ程度となるから、かかる場合の幅としては略１２乃至２４ｃｍ程度となる。反面ペット等では手足回りも細く、その長さも１０乃至２０ｃｍでも使用でき、且かかる場合の幅としては１．２乃至２．４ｃｍ程度のものとなる。【００１７】  加えて該弾性弧形基材１の厚さは使用する合成樹脂素材の引張弾性率や曲げ弾性率及び弾性弧形基材１に要請される幅等によっても異なるが、使用素材の引張弾性率（ｋｇ／ｃｍ２）が略２００，０００のポリエステル樹脂や、同様にその引張弾性率（ｋｇ／ｃｍ２）が略１１９，５００のポリフェニレンスルフィドの如く高弾性素材で、且その幅が３ｃｍの場合では略０．４乃至０．８ｍｍ程度が目処となる。無論、弾性率が小さくなれば、その分見掛の厚さの増加で補うこととなる。【００１８】  かくしてなる弾性弧形基材１の外面には、車輛等のヘッドライト光線の照射に対して散乱減衰させることなく、ヘッドライト光源に対して再帰させる光再帰性フィルム材２が接着されている。
この光再帰性フィルム材２は、強靭性や耐候性或いは寸法安定性に優れる合成樹脂フィルム２Ａとしてはポリエステル二軸フィルムが好適であって、該合成樹脂フィルム２Ａの一側面には光再帰反射加工２Ｂを施すために、その厚さとしては略０．１乃至０．３ｍｍ程度のものが選ばれる。【００１９】  この光再帰反射加工２Ｂは多様な手段が存在するが、本考案においてはマイクロプリズムが好適であるためマイクロプリズムについて説明する。即ちこのマイクロプリズムによる光再帰反射加工２Ｂは、図４に示す如く合成樹脂フィルム２Ａの表面に、その形状が極微細で且逆三角錘状に凹陥形成された逆三角錘状反射面２Ｃが膨大数望ましくは１ｃｍ２当たり３，０００乃至６，０００個の形成密度を以って加圧凹陥成形されてなるもので、且この逆三角錘状反射面２Ｃの上面には、微弱な照射光線が透過滅失されたり散乱減衰されたりせぬよう反射塗材２Ｄが蒸着され若しくは塗着されている。【００２０】  かかる場合の反射塗材２Ｄが蒸着による場合はアルミや銅が用いられ、且通常はその蒸着厚が略３乃至３０μｍ程度に形成され、更に塗着による塗着材としては通常ロジン変成アルキド、フタル酸ブチル、炭酸カルシウム、有彩有機顔料及び白色顔料の組成からなるものが用いられるが、特に高度の光再帰性反射が求められる場合には、バリウムフェライト等の磁気顔料も用いられる。【００２１】  かくして形成された光再帰性フィルム材２は、弾性弧形基材１の外面形状に合せて裁断させたうえ、図５に示すように弾性弧形基材１の外面に接着剤を用いて接着３されることにより、本考案品４が形成される。
この場合の接着３は可能な限り薄い接着層で強力に且柔軟性に優れる接着が、応力緩和に伴う巻込みを良好になさしめ装着や脱着を容易となすうえで望まれる。
これがため該接着剤としては弾性弧形基材１及び光再帰性フィルム材２の素材にもよるが、相互がポリエステル素材からなる場合においては、ポリウレタン樹脂や変性アクリル樹脂若しくは変性合成ゴム素材等を接着成分として使用することが好適である。【００２２】  本考案においては前記の構造による他に、弾性弧形基材１を内包しえるよう図６に示す如く該弾性弧形基材１の形状及び寸法に合せて、その上面には光再帰性フィルム材２と且その下面には該光再帰性フィルム材２と融着可能な包着フィルム材５とにより一辺に開口部６Ａを有するよう他の三辺を融着して包着ケース６を形成させたうえ、その開口部６Ａより弾性弧形基材１を挿入包着させたうえ、該開口部を融着密封させた構造のものも実用に供しえる。
かかる場合に該包着フィルム材５もなるべく強靭で柔軟なうえ光再帰性フィルム材２と融着可能なものが望まれることから、具体的にはポリエステルフィルムやポリウレタンフィルム或いはエチレン酢酸ビニル共重合フィルム材等が挙げられる。【００２３】  かくしてなる本考案品４は、路上を歩行する歩行者やペット等の手足や腕脚部若しくは路上走行する自転車や乳母車等のフレーム部に巻返し装着させ、或いは図７に示す如く道路の危険個所近傍に適宜保持材等を以って装着させることで、車輛運転者に早期の危険予知がなされる。
【産業上の利用可能性】
【００２４】  道路を歩行する歩行者やペット等若しくは走行する自転車や乳母車或いは危険個所に適宜の被装着体を用いれば、装着及び脱着が簡便にでき危険予知がなされる。
【図面の簡単な説明】
【００２５】
【図１】  弾性弧形基材の説明図である。
【図２】  加圧応力付加及び応力緩和の説明図である。
【図３】  応力緩和と巻返し原理の説明図である。
【図４】  光再帰性フィルム材の説明図である。
【図５】  光再帰性フィルム材の接着説明図である。
【図６】  包着ケースによる本考案品の説明図である。
【図７】  本考案品の使用態様図である。
【符号の説明】
【００２６】１    弾性弧形基材
２    光再帰性フィルム材
２Ａ  光再帰性フィルム材の合成樹脂フィルム
２Ｂ  光再帰反射加工
２Ｃ  逆三角錘状反射面
２Ｄ  反射塗材
３    接着
４    本考案品
５    包着フィルム材
６    包着ケース
６Ａ  包着ケースの開口部
【図１】
0003140416.tif 000003
【図２】
0003140416.tif 000004
【図３】
0003140416.tif 000005
【図４】
0003140416.tif 000006
【図５】
0003140416.tif 000007
【図６】
0003140416.tif 000008
【図７】
0003140416.tif 000009